(57)【要約】  保護ガス雰囲気を必要とする対象物を保管しおよび／または展示するための陳列棚であって、その底部およびそのカバー構造が、外気に対して可能な限り気密に密閉されるように一部または全部が陳列棚内部を囲むものにおいて、陳列棚は、陳列棚内部（７）外方に存在する空気（１）を吸引しかつ圧縮するコンプレッサ（２）を有している。次に、ガス生成機（３）により圧縮した空気から保護ガスが生成され、この保護ガスが陳列棚内部（７）に供給される。このようにして、保護ガス用の供給容器は不要となる。
2008501452.tif 000002
【特許請求の範囲】
【請求項１】
対象物を保管しおよび／または展示するための陳列棚であって、その底部およびそのカバー構造が、外気に対して可能な限り気密に密閉されるように一部または全部が陳列棚内部を囲むものにおいて、
陳列棚内部（７）外方に存在する空気（１）を吸引しかつ圧縮するコンプレッサ（２）が設けられ、ガス生成機（３）により圧縮した空気から保護ガスが生成され、この保護ガスが陳列棚内部（７）に供給され、ガス生成機（３）は陳列棚の内部または外部に収容されていることを特徴とする陳列棚。
【請求項２】
保護ガスは、陳列棚内部（７）に導入される前に加湿器（５）に供給されることを特徴とする請求項１に記載の陳列棚。
【請求項３】
保護ガスの空気湿度の調節および／または調整は、加湿器（５）と協働する冷却装置（６）により達成されることを特徴とする請求項１または２に記載の陳列棚。
【請求項４】
保護ガスの陳列棚内部（７）への導入は、外気に対して若干超過する圧力を維持することにより達成されることを特徴とする請求項１乃至３のいずれかに記載の陳列棚。
【請求項５】
制御装置（８）に接続された温度センサー（９）が陳列棚の内部（７）に設けられ、冷却装置（６）は、制御装置（８）により調節されおよび／または調整されることを特徴とする請求項１乃至４のいずれかに記載の陳列棚。
【請求項６】
減圧弁（４）に接続された制御装置（８）に接続された圧力センサー（１０）が陳列棚の内部（７）に設けられ、この弁によりガス生成機（３）により生成される保護ガスの圧力を調節可能であることを特徴とする請求項１乃至５のいずれかに記載の陳列棚。
【請求項７】
空気を圧縮する際にコンプレッサ（２）内で生成される水が加湿器（５）に供給されることを特徴とする請求項１乃至６のいずれかに記載の陳列棚。
【請求項８】
保護ガスは、窒素を含むことを特徴とする請求項１乃至７のいずれかに記載の陳列棚。
【発明の詳細な説明】
【技術分野】
【０００１】
本発明は、対象物を保管しおよび／または展示するための陳列棚であって、その底部およびそのカバー構造が、外気に対して可能な限り気密に密閉されるように一部または全部が陳列棚内部を囲むものに関する。
【背景技術】
【０００２】
このようなタイプの陳列棚は既に知られている。すなわち対象物を保管しおよび／または展示するための陳列棚はＤＥ−ＰＳ−３８０５２１２Ｃ２に記載されており、この陳列棚内部の周囲空気は、展示される対象物を保護するため、無塵であるのみならず所望の空気湿度の範囲に保持される。塵の不存在は別として、空気湿度等、上述した要求に加えて、陳列棚内部の特定の対象物により中立の環境が要求される場合もまた生じうる。したがって、展示される対象物の保護のために必要であれば、内部を中立なガスにより充填することもまた可能である。これに関連して、この目的のために供給容器内でガスを使用することも既に知られている。
【発明の開示】
【発明が解決しようとする課題】
【０００３】
このタイプの供給容器は、充填度合いに関して常時監視される必要があるという不都合を有している。本発明の目的は、内部にガスが充填された陳列棚であって、ガス供給の特別な監視を避けることが保証される陳列棚をここに示すことにある。
【課題を解決するための手段】
【０００４】
この目的は、陳列棚内部外方に存在する空気を吸引しかつ圧縮するコンプレッサが設けられ、ガス生成機により圧縮した空気から保護ガスが生成され、この保護ガスが陳列棚内部に供給され、ガス生成機は陳列棚の内部または外部に収容されていることにより達成される。
【０００５】
保護ガスをその場で生成するために、保護ガス用の供給容器が不要となる。実施の形態によれば、コンプレッサおよびガス生成機は陳列棚の構成要素であっても良いが、コンプレッサおよびガス生成機は、単一の陳列棚用あるいは複数の各陳列棚用に、陳列棚の外部に設けられていても良い。
【０００６】
本発明の更なる実施の形態において、陳列棚内部に導入される前に加湿器に供給される保護ガスを有している。仮に、保護ガス雰囲気に加えて陳列棚内部に特別な雰囲気環境が要求される場合、保護ガスの湿度は、加湿器により調節および／または調整されても良い。
【０００７】
これは、とりわけ加湿器と協働する冷却装置に関して有効である。
【０００８】
更なる有効点は、サブクレームにより生じる。
【０００９】
本発明は、図面に示される実施の形態に依拠して更に詳細に説明される。
【発明を実施するための最良の形態】
【００１０】
陳列棚の周囲からの流入空気１が、コンプレッサ２により吸引しかつ圧縮され、例えば６乃至８ｂａｒ（０．６乃至０．８ＭＰａ）の値となる。この空気は、膜装置により窒素ガスを空気から分離するガス生成機３に供給される。この過程で生成される空気の不要な残余要素は、陳列棚周囲環境へ供給される。このタイプのガス生成機は、密封室内に収容された膜装置を有し、空気をその注入口に供給することができるとともに、排出口で窒素ガスを引き出すことができる。この構成は、ＥＰ−ＯＳ−０２９８５３１Ａ１（ガス分離装置およびこのような装置によりガスを分離する方法）に示されており、この膜の構造およびその作用の形態の結果として、この記載の範囲内より以上に取り扱われない。上述した公報の記載から、空気はかなり高圧で室内に導入されざるを得ないことが推定される。
【００１１】
高圧の窒素ガスは、減圧弁４により陳列棚外部の空気圧と比較して若干超過する圧力に相当する値まで減圧される。この際わずか０−６％の相対湿度を有する窒素ガスを陳列棚の内部７に導入することができる。陳列棚内部の窒素ガスの圧力が外気と比較して若干超過する圧力となっている結果、冒頭で述べたタイプの陳列棚は外気に対して決して完全には密閉されていないので、陳列棚を開とした後であっても、純粋な窒素雰囲気が数時間の過程で設定される。
【００１２】
さらに、仮に陳列棚の内部７で特別な雰囲気環境、すなわち更に特別な温度および保護ガスの規定湿度が望まれた場合、減圧弁４の排出口に出現する窒素ガスが、通過する前記ガスに湿気を混入する加湿器５へまず供給される必要がある。加湿器５は、例えば窒素ガスが水面上に導入され、かつこれにより湿気を吸収する方法で動作することができる。これに続いて冷却装置６により湿気を含んだ保護ガスを冷却することにより、その湿度および温度が調節かつ調整されることができ、この結果、空気湿度は規定値、例えば３５乃至６５％に達する。コンプレッサ２内で凝縮水を含む流入空気を圧縮する間、空気湿度により水が生成されるので、この水は、加湿器５への水の供給を補完するために集積されかつ有効に使用されても良い。
【００１３】
陳列棚の内部７内において、温度センサー９および圧力センサー１０が設けられ、両センサーは、電子制御装置８に電気的に接続されている。制御装置８により、冷却装置６の温度は、温度センサー９の測定値に応じて規定可能な値に調節または調整され、したがって陳列棚の内部７における窒素ガスの温度および湿度も調節または調整される。減圧弁４は、所定の方法により特定の値に手動で設定されても良い。しかしながら、減圧弁４は、圧力センサー１０の測定値に応じて制御装置８により設定可能となることも考えられる。したがって、予め侵入していた空気を漏洩して強制排出したり、陳列棚の内部７をより迅速に窒素ガスで再充填することを達成するため、例えば定められた時間陳列棚を開閉した後、陳列棚の内部７内の超過圧力をわずかに増加させても良い。この場合、制御装置８は、図示しないドアスイッチまたはガス気密センサーに加えて電気的に接続されても良い。
【００１４】
コンプレッサ２およびガス生成機３は、陳列棚自体に収容されていても良く、実際上その下部が都合が良い。しかしながら、陳列棚外部において、上述した２つの装置に代えて配置することもまた考えられる。さらに、共通するコンプレッサ２およびガス生成機３を複数の陳列棚用にそれぞれ設けることも可能であり、この場合生成された窒素ガスは、ホース管を経由して個々の陳列棚に供給される。
【図面の簡単な説明】
【００１５】
【図１】本発明の一実施の形態を示す図。
【図１】
2008501452.tif 000003
【国際調査報告】
2008501452.tif 000004
2008501452.tif 000005
2008501452.tif 000006
2008501452.tif 000007
2008501452.tif 000008
2008501452.tif 000009